(57)【要約】【課題】空気調和機のエアフィルターと除塵体に付着した塵埃を、効率よく、確実に除去できるための清掃装置を提供すること。【解決手段】本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、端部の長手方向に切り欠き溝を有する棒状の芯棒に、短冊状の清掃片をらせん状に巻き付けるとともに、前記芯棒の切り欠き溝に前記清掃片の端部を折り込んだので、清掃片全体が剥がれにくい、外径の細い回転清掃体を簡単に作ることができる。このような回転清掃体により、エアフィルターに付着した塵埃を効率よく除去でき、エアフィルターを常に清潔で、長期間に亘り目詰まりのない状態で使用できるため、空気調和機の性能も維持され、且つ前記エアフィルターを取り外して塵埃の清掃を行う必要もなくなる。【選択図】      図２
2007285551.tif 000002
【特許請求の範囲】
【請求項１】
本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、端部の長手方向に切り欠き溝を有する棒状の芯棒に、短冊状の清掃片をらせん状に巻き付けるとともに、前記芯棒の前記切り欠き溝に前記清掃片の端部を折り込んだ回転清掃体を有することを特徴とした、空気調和機の清掃装置。
【請求項２】
本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、少なくとも端部に中空部を有する棒状の芯棒に、短冊状の清掃片をらせん状に巻き付け、前記中空部に、キャップを挿入して固着するとともに、前記キャップの外周部に設けたフランジにて前記清掃片の端部を覆った回転清掃体を有することを特徴とした、空気調和機の清掃装置。
【請求項３】
芯棒の端部に回り止め部を設けて、前記回り止め部にキャップを固着したことを特徴とした、請求項１〜２記載の空気調和機の清掃装置。
【請求項４】
本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、少なくとも端部に中空部を有する棒状の芯棒に、短冊状の清掃片をらせん状に巻き付けるとともに、前記清掃片の端部を前記芯棒の中空部に折り込み、前記中空部にキャップを挿入した後、前記芯棒の外周をカシメることにより、前記芯棒に、前記清掃片と前記キャップを固着した回転清掃体を有することを特徴とした、空気調和機の清掃装置。
【請求項５】
請求項１〜４のうち、何れかに記載の清掃装置を有する、空気調和機。
【発明の詳細な説明】
【技術分野】
【０００１】
本発明は、エアコンディショナーや送風機、加湿器、除湿機、換気扇、あるいは空気清浄機等の空気調和機に配置されたエアフィルターの清掃装置及び、それを用いた空気調和機に関するものである。
【背景技術】
【０００２】
従来の空気調和機には、吸込口と熱交換器との間に、空気調和機本体内部への塵埃侵入を防ぐためにエアフィルターが配置されており、空気調和機の運転に伴い吸込口から空気と共に侵入する塵埃を捉える機能を有している。このため、エアフィルターには捉えた塵埃が徐々に付着するとともに、目が徐々に詰まってしまい風量を低下させてしまうので、空気調和機本体から着脱可能に構成され、定期的にエアフィルター表面を電気掃除機等で吸引したり、洗浄したりしなければならなかった。
【０００３】
これに対し、エアフィルターの上流側表面に沿って移動することができる吸引口を有する吸引ノズルと、この吸引ノズルに連結された吸引装置を空気調和機本体に設けて、吸引口からエアフィルター表面に付着した塵埃を吸引することで、エアフィルターを取り外すことなくエアフィルターの自動清掃が行える構造が考案されている（例えば、特許文献１参照）。
【０００４】
また、フィルターのメンテナンスの手間を低減する目的で、駆動軸に張架したベルト上のエアフィルターと、前記エアフィルターの表面に接する回転ブラシを設け、前記駆動軸を回転させてエアフィルターを移動させながら、その表面に堆積した塵埃を、回転ブラシを回転させて掻きとるようにした空気調和機がある（例えば、特許文献２参照）。
【０００５】
また、図１０に示すように、エアフィルターの塵埃の除去に、円筒形状の合成樹脂の芯棒６１の端部から、基布６２にブラシ毛６３を植設した清掃片６４をらせん状に巻きつけて、前記芯棒６１の端部にキャップ６５を取り付けた回転清掃体６０も、従来から使用されている。
【特許文献１】特開２００５−１４０４０５号公報
【特許文献２】特開２００６−７１１２１号公報
【発明の開示】
【発明が解決しようとする課題】
【０００６】
しかしながら、上記特許文献１に開示されたような従来の空気調和機においては、吸引口の開閉面積を絞ることで風量を落として、吸引圧力を高めている。このような吸引ノズルで塵埃を除去しようとすると、エアフィルター表面に浮いたような状態で乗っている綿埃等は容易に吸引できるが、吸引力のみでは、エアフィルターの網目に絡んだ塵埃や、油分を含む塵埃等を、清掃ブラシのように掻き出して剥離させることはできず、エアフィルターにこびりついた塵埃を確実に除去することは非常に困難であった。
【０００７】
また、上記特許文献２に開示されたような従来の空気調和機においては、回転ブラシの芯棒が樹脂でできており、その外周にブラシ毛が植毛されている。前記回転ブラシはブラシが植毛されているため、加工に手間がかかり、かつ、回転ブラシの外径が大きくなり、空気調和機本体が大きくなるという欠点があった。
【０００８】
また、従来から使用されているような、エアフィルターの塵埃の除去に、円筒形状の合成樹脂の芯棒６１の端部から、清掃片６４をらせん状に巻きつけて、芯棒６１の端部にキャップ６５を取り付けた回転清掃体６０は、回転してエアフィルターの塵埃を除去する際に、清掃片６４の端部から剥がれやすいという問題があった。
【０００９】
本発明は、上記従来の課題を解決するためのものであり、清掃片全体、特に端部が剥がれにくく、清掃片とキャップが芯棒から容易に外れることのない、かつ外径の細い回転清掃体を提供することで、エアフィルターに付着した塵埃を効率よく除去でき、長期間に亘ってエアフィルターの目詰まりのない状態で使用することができる空気調和機の清掃装置及び、空気調和機を提供することを目的とする。
【課題を解決するための手段】
【００１０】
前記従来の課題を解決するために、本発明では、本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、端部の長手方向に切り欠き溝を有する棒状の芯棒に、短冊状の清掃片をらせん状に巻き付けるとともに、前記芯棒の前記切り欠き溝に前記清掃片の端部を折り込んだので、清掃片全体が剥がれにくい、外径の細い回転清掃体を簡単に作ることができる。外径が細く、剥がれにくい清掃片を有する回転清掃体により、前記エアフィルターに付着した塵埃を効率よく除去できる。
【００１１】
また、本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、少なくとも端部に中空部を有する棒状の芯棒に、短冊状の清掃片をらせん状に巻き付け、前記中空部に、キャップを挿入して固着するとともに、前記キャップの外周部に設けたフランジにて前記清掃片の端部を覆ったので、清掃片全体が剥がれにくく、清掃片とキャップが容易に外れない、かつ外径の細い回転清掃体を簡単に作ることができる。外径が細く、剥がれにくい清掃片を有する回転清掃体により、前記エアフィルターに付着した塵埃を効率よく除去できる。
【００１２】
また、本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、少なくとも端部に中空部を有する棒状の芯棒に、短冊状の清掃片をらせん状に巻き付けるとともに、前記清掃片の端部を前記芯棒の中空部に折り込み、前記中空部にキャップを挿入した後、前記芯棒の外周をカシメることにより、前記芯棒に、前記清掃片と前記キャップを固着したので、清掃片全体が剥がれにくく、清掃体とキャップが容易に外れない、かつ外径の細い回転清掃体を作ることができる。外径が細く、剥がれにくい清掃片を有する回転清掃体により、前記エアフィルターに付着した塵埃を効率よく除去できる。
【００１３】
また、本発明の空気調和機は、空気調和機本体に設けられた吸込口と吹出口を結ぶ空気通路に、除塵用のエアフィルターを配置するとともに、請求項１〜４の何れかに記載の清掃装置を有しているので、効率よく確実にエアフィルターに付着した塵埃が除去できる。また、長期間に亘ってエアフィルターのメンテナンスが不要となる。
【発明の効果】
【００１４】
本発明によれば、清掃片は芯棒に簡単に巻き付けができ、かつ、清掃片全体が剥がれにくい。また、キャップも芯棒に簡単に取付けができ、かつ、清掃片とキャップが容易に外れない、安定した回転清掃体を作ることができる。このような回転清掃体を、エアフィルターの清掃装置に組み込むことにより、エアフィルターを常に清潔で、長期間に亘って目詰まりのない状態で使用することができるため、空気調和機の性能も維持され、且つエアフィルターを取り外して塵埃の清掃を行う必要もなくなる。清潔で、長期間に亘ってエアフィルターの目詰まりのない状態で使用することができるため、空気調和機の性能も維持され、且つ、エアフィルターを取り外して塵埃の清掃を行う必要もなくなる。
【発明を実施するための最良の形態】
【００１５】
第１の発明は、本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、端部の長手方向に切り欠き溝を有する棒状の芯棒に、短冊状の清掃片をらせん状に巻き付けるとともに、前記芯棒の前記切り欠き溝に前記清掃片の端部を折り込んだ回転清掃体を有するので、清掃片全体が剥がれにくい、外径の細い前記回転清掃体により、前記エアフィルターに付着した塵埃を効率よく除去できる。また、前記回転清掃体は、端部の長手方向に前記切り欠き溝を有する棒状の前記芯棒に、短冊状の前記清掃片をらせん状に巻き付けるとともに、前記芯棒の前記切り欠き溝に前記清掃片の端部を折り込んだので、前記回転清掃体は簡単に作ることができる。
【００１６】
第２の発明は、本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、少なくとも端部に中空部を有する棒状の芯棒に、短冊状の清掃片をらせん状に巻き付け、前記中空部に、キャップを挿入して固着するとともに、前記キャップの外周部に設けたフランジにて前記清掃片の端部を覆った回転清掃体を有するので、清掃片全体が剥がれにくく、前記清掃片の端部とキャップが容易に外れない、かつ、外径の細い前記回転清掃体により、前記エアフィルターに付着した塵埃を効率よく除去できる。  
【００１７】
第３の発明は、第１または２の発明において、芯棒の端部に回り止め部を設けて、前記回り止め部にキャップを固着したので、回転清掃体が回転するときに、前記キャップに回転方向の負荷がかかっても、前記芯棒と前記キャップが容易にずれたり、外れることがない。
【００１８】
第４の発明は、本体に設けられた吸込口と吹出口を結ぶ空気通路に、除塵用のエアフィルターを配置してなる空気調和機において、前記空気調和機は、前記エアフィルターに付着した塵埃を除去する清掃装置を有し、前記清掃装置は、少なくとも端部に中空部を有する棒状の芯棒に、短冊状の清掃片をらせん状に巻き付けるとともに、前記清掃片の端部を前記芯棒の中空部に折り込み、前記中空部にキャップを挿入した後、前記芯棒の外周をカシメることにより、前記芯棒に、前記清掃片と前記キャップを固着した回転清掃体を有するので、清掃片全体が剥がれにくく、前記清掃片と前記キャップが容易に外れことがなく、かつ、外径の細い前記回転清掃体により、前記エアフィルターに付着した塵埃を効率よく除去できる。
【００１９】
空気調和機本体内に、第１〜４の発明の何れかの清掃装置を有しているので、エアフィルターの目詰まりが起こらず、常に安定した風量を確保でき、運転効率も良い、空気調和機を提供することができる。
【００２０】
以下、本発明の実施例について、図面を参照しながら説明する。なお、この実施例によって本発明が限定されるものではない。
【実施例１】
【００２１】
図１は、本発明の第１の実施例における空気調和機の清掃装置を搭載した空気調和機の縦断面図、図２は、同空気調和機の清掃装置に組み込まれる回転清掃体の横断面図、図３は、同空気調和機の清掃装置に組み込まれる回転清掃体を構成する芯棒の斜視図、図４（ａ）は、同空気調和機の清掃装置に組み込まれる回転清掃体を構成する芯棒の正面図、図４（ｂ）は、同空気調和機の清掃装置に組み込まれる回転清掃体を構成する清掃片を展開した正面図、図５は、同空気調和機の清掃装置に組み込まれる回転清掃体を組み立てる途中の状態を示す斜視図である。
【００２２】
図１において、空気調和機本体１は、熱交換器４と、室内の空気を取り入れる吸込口２と、熱交換器４と吸込口２の間に配され、吸込口２から流入する空気中に含まれる塵埃を捕集するエアフィルター５と、エアフィルター５の上流側に配されると共に、エアフィルター５で捕集された塵埃を除去する清掃装置を有し、前記清掃装置は、回転清掃体７と前記回転清掃体７を回転させるための回転駆動手段（図示せず）と、前記回転清掃体７をエアフィルター５の上流側の表面に沿って上下方向に移動させる上下移動手段（図示せず）にて形成されており、室内の空気を吸込口２から吸引し、エアフィルター５、熱交換器４を通して、吹き出し口３から、熱交換された空気を室内に吹き出す送風ファン６とを備えている。
【００２３】
次に、図２を用いて回転清掃体７とその周辺部分の構成について説明する。８はアルミニウムの金属材料を用いた芯棒である。１１は、基布９にブラシ毛１０を植設した清掃片１１である。１２はキャップである。１３は軸であり、１４はキャップ１２に軸１３を一体成形したブラケット１４である。１５は、軸１３の外周を受け、回転清掃体７を回転自在に軸支する軸受けである。
【００２４】
図３は、アルミニウムの金属材料を用いた、端部に中空部１７と切り欠き溝１６を有する円筒形状の芯棒８の斜視図である。
【００２５】
図４において、図４（ａ）は、芯棒８の正面図であり、図4（ｂ）は、基布９にブラシ毛１０を植設し、端部には、ブラシ毛１０を植設しない基布９のみの折込み代１４a、及び折込み代１４bを設けた清掃片１１の正面図である。
【００２６】
図５は、アルミニウムの芯棒８の切り欠き溝１６に、短冊状の清掃片１１の端部のブラシ毛１０を植設していない折込み代１４a、及び折込み代１４bを挟み込んで、芯棒８にらせん状に巻き付けている状態を示す、回転清掃体７の斜視図である。
【００２７】
アルミニウムの材料を用いた、端部に中空部１７と切り欠き溝１６を有する円筒形状の芯棒８の切り欠き溝１６に、基布９にブラシ毛１０を植設した短冊状の清掃片１１における、折込み代１１aを挟み込んで、芯棒８の外周に、清掃片１１を一周巻き付けたところで、今度は、折込み代１４bを切り欠き溝１６に挟み込み、続けて、清掃片１１をらせん状に巻き付けて行き、芯棒８の反対側の端部の切り欠き溝１６に、清掃片１１の反対側の端部の切り欠き溝１１ｂ、及び１１ａを挟み込んで、芯棒の外周全体に清掃片１１を巻きつける。キャップ１２と軸１３を一体成形したブラケット１４を芯棒8の中空部１７に圧入して固着して、回転清掃体７が完成する。回転清掃体７は、両端の軸１３が、軸受け１５によって回転自在に軸支されている。
【００２８】
回転清掃体７は、円筒形状の芯棒８の外周に、短冊状の清掃片１１をらせん状に巻き付けてあるため、簡単に巻き付けることができ、かつ、清掃片１１が剥がれにくくなる。また、短冊状の清掃片１１の端部のブラシ毛１０を植設していない折込み代１１a、及び折込み代１１bを芯棒８の切り欠き溝１６に挟み込むので、取付けが簡単であり、かつ、清掃片１１の端部の剥がれが防止できる。また、芯棒８をアルミニウムの金属の材料を用いて短冊状の清掃片１１をらせん状に巻き付けてあるため、反りに対する強度が増し、外径の細い回転清掃体７を作ることができる。外径が細く、剥がれにくい清掃片１１を有する回転清掃体７により、エアフィルター５に付着した塵埃を効率よく除去できる。
【００２９】
芯棒８は、合成樹脂の材料でもよい。また、芯棒８の断面形状は、多角形状でもよく、かつ、端部のみに中空部１７を設けてもよい。また、清掃片１１端部の折込み代１１ａ、１１ｂは、ブラシ毛１０を植設しない状態で形成する方法の他に、ブラシ毛１０を短く毛刈りしてもよい。
【００３０】
また、上記においては、回転清掃体７における清掃片１１を基布９に植設されたブラシ毛１０で説明しているが、材質はこれに限定するものではなく、用途に応じて、適宜選択することができる。
【００３１】
次に、本実施例における空気調和機の清掃装置及びそれを搭載した空気調和機の動作を説明する。
空気調和機本体１を、例えば、冷房運転すると、送風ファン６により室内の空気が吸込口２から流入し、エアフィルター５を通って熱交換器４に至り、そこで冷却され、冷たい空気が吹き出し口３から室内に吹き出される。吸込口２から吸引される室内の空気に含まれる塵埃は、エアフィルター５で捕集され、エアフィルター５の表面に次第に堆積していく。エアフィルター５の表面に塵埃が堆積してくると、空気の通気圧損が増加し、熱交換器４での熱交換効率が低下してくるので、定期的に或いは、必要に応じて、エアフィルター５に堆積した塵埃の除去運転が必要となる。
【００３２】
塵埃の除去運転の開始に当たり、回転清掃体７は、エアフィルター５の下端に位置している。塵埃の除去運転を開始すると、回転駆動手段（図示せず）により回転清掃体７が矢印の方向に回転すると共に、その回転する回転清掃体７が上下移動手段（図示せず）で、エアフィルター５の表面に沿って上方に移動する。この間に、回転清掃体７の清掃片１１の先端で、エアフィルター５に付着堆積した塵埃が掻き落とされる。
【００３３】
次に、上下移動手段（図示せず）により、回転清掃体７が、エアフィルター５の上端まで達すると、自動的に下降し、エアフィルター５の下端まで移動する。この間も上昇時と同様に、回転清掃体７の清掃片１１の先端で、エアフィルター５に付着堆積した塵埃が掻き落とされる。
【００３４】
回転清掃体７は、回転しながらエアフィルター５に接触しながら移動するため、回転清掃体７によって、強力にエアフィルター５に付着した塵埃を掻き出して除去することができる。
【００３５】
また、本実施例では図示しないが、回転清掃体７が上下移動せずに、エアフィルター５自身が、回転する回転清掃体７の清掃片１１の先端に接触しながら移動して、エアフィルター５に付着した塵埃を除去する構造にしてもよい。
【実施例２】
【００３６】
図６、及び７において、実施例２について説明する。なお、実施例１と重複する部分については、その説明を省略する。図６は、本発明の第２の実施例における空気調和機の清掃装置に組み込まれる回転清掃体の横断面図、図７は、同空気調和機の清掃装置に組み込まれる回転清掃体を組み立てる途中の状態を示す斜視図である。
端部に中空部３２を有する円筒状の芯棒１９に、両端部に、ブラシ毛２１を植設していない被せ代２６を有する、短冊状の清掃片２２をらせん状に巻き付け、芯棒１９の中空部３２に、キャップ２３に軸１３を一体成形したブラケット２４を挿入して固着するとともに、キャップ２３の外周部に設けたフランジ２３aにて清掃片２２の端部に設けた被せ代２６の外周を覆って回転清掃体１８が完成する。回転清掃体７は、両端の軸１３が、軸受け１５によって回転自在に軸支されている。
【００３７】
回転清掃体１８は、円筒形状の芯棒１９の外周に、短冊状の清掃片２２をらせん状に巻き付けてあるため、簡単に巻き付けることができ、かつ、清掃片２２が剥がれにくくなる。また、芯棒１９の中空部３２に、キャップ２３に軸１３を一体成形したブラケット２４を挿入して固着するとともに、キャップ２３の外周部に設けたフランジ２３aにて清掃片２２の被せ代２６を覆っているので、清掃片２２の剥がれを防止でき、清掃片２２と、ブラケット２４が容易に外れない、かつ、外径の細い回転清掃体１８を作ることができる。また、アルミニウムの材料を用いて短冊状の清掃片２２をらせん状に巻き付けてあるため、反りに対する強度が増し、外径の細い回転清掃体１８を作ることができる。外径が細く、剥がれにくい清掃片２２を有する回転清掃体１８により、エアフィルター５に付着した塵埃を効率よく除去できる。また、短冊状の清掃片２２は、ブラシ毛２１を植設していない被せ代２６を設けたので、両端にブラケット２４をかぶせて固着する際に、ブラシ毛２１が邪魔にならずに組み立てることができる。
【００３８】
芯棒１９は、合成樹脂の材料でもよい。また、芯棒１９の断面形状は、多角形状でもよく、かつ、端部のみに中空部３２を設けてもよい。また、清掃片２２端部の被せ代２６は、ブラシ毛２１を短く毛刈りする方法で形成してもよく、更には、ブラシ毛２１をそのまま残し、フランジ２３ａによってブラシ毛２３ａを倒しながら覆い被せてもよいものである。
【００３９】
また、上記においては、回転清掃体１８における清掃片２２を基布２０に植設されたブラシ毛２１で説明しているが、材質はこれに限定するものではなく、用途に応じて、適宜選択することができる。
【実施例３】
【００４０】
第８を用いて、実施例３について説明する。なお、実施例１と重複する部分については、その説明を省略する。アルミニウムの材料を用いた、端部に中空部４７と切り欠き溝４５を有する円筒形状の芯棒３４の中空部４７に、基布３５にブラシ毛３６を植設した短冊状の清掃片３７の端部のブラシ毛３６を植設しない折込み代４３を折り込んで、芯棒３４の外周に、清掃片３７をらせん状に巻き付けるとともに、芯棒３４の反対側の端部の中空部４７に、清掃片３７の反対側の端部の折込み代４３を折り込む。キャップ３８と軸１３を一体成形したブラケット４０の、嵌合部４１に設けた溝４２を、芯棒３４の中空部４７の回り止め部４６に嵌合させて挿入固着し、て、回転清掃体３３が完成する。なお、キャップ３８のＤカット部分は、ブラケット４０を挿入する際に、清掃片３７の折込み代４３を折り込んで、芯棒３４の中空部４７の内側にはみでた端部が、邪魔にならないための空隙部を設けるためのものである。
【００４１】
芯棒３４の端部に回り止め部４６を設けて、回り止め部４６にキャップ３８と軸１３を一体成形したブラケット４０を固着したので、回転清掃体３３が回転するときに、ブラケット４０に回転方向の負荷がかかっても、芯棒３４と、ブラケット４０が容易にずれたり、外れることが防止できる。
【００４２】
芯棒３４は、合成樹脂の材料でもよい。また、芯棒３４の断面形状は、多角形状でもよく、かつ、端部のみに中空部４７を設けてもよい。また、清掃片３７の端部は、ブラシ毛３６を短く毛刈りする方法で形成してもよい。
【００４３】
また、上記においては、回転清掃体３３における清掃片３７を基布３５に植設されたブラシ毛３６で説明しているが、材質はこれに限定するものではなく、用途に応じて、適宜選択することができる。
【実施例４】
【００４４】
図９を用いて、実施例４について説明する。アルミニウムの金属材料を用いた、端部に中空部５６を有する円筒形状の芯棒５０の外周に、基布５１にブラシ毛５２を植設した短冊状の清掃片５３をらせん状に巻き付けるとともに、清掃片５３の端部の折込み代５９を芯棒５０の中空部５６に折り込む。キャップ５４と軸１３を一体成形したブラケット５５を、芯棒５０の中空部５６に圧入するとともに、芯棒５０の外部から、キャップ５４に形成された凹部５４aに当たる位置をカシメて、芯棒５０を変形させて凹部５４aにくい込ませることで、清掃片５３、及びブラケット５５を芯棒５０に固着し、回転清掃体４９が完成される。回転清掃体４９は、両端の軸１３が、軸受け１５によって回転自在に軸支されている。
【００４５】
回転清掃体４９は、円筒形状の芯棒５０の外周に、短冊状の清掃片５３をらせん状に巻き付けてあるため、簡単に巻き付けることができ、かつ、清掃片５３が剥がれにくくなる。また、両端にキャップ５４と軸１３を一体成形したブラケット５５を、芯棒５０の中空部５６に挿入するとともに、カシメて、固着したので、ブラケット５５は外れにくく、かつ、清掃片５３の端部が剥がれにくくなる。また、短冊状の清掃片５３は、端部のブラシ毛５２を植設していないので、両端にブラケット５５を挿入して、カシメて、固着する際に、ブラシ毛５２が邪魔にならずに組み立てることができる。また、芯棒５０をアルミニウムの金属の材料を用いて短冊状の清掃片５３をらせん状に巻き付けてあるため、反りに対する強度が増し、外径の細い回転清掃体４９を作ることができる。外径が細く、剥がれにくい清掃片５３を有する回転清掃体４９により、エアフィルター５に付着した塵埃を効率よく除去できる。
【００４６】
芯棒５０の断面形状は、多角形状でもよく、また、端部のみに中空部５６を設けてもよい。また、清掃片５３の端部は、ブラシ毛５２を短く毛刈りする方法で形成してもよい。
【００４７】
また、上記においては、回転清掃体４９における清掃片５３を基布５１に植設されたブラシ毛５２で説明しているが、材質はこれに限定するものではなく、用途に応じて、適宜選択することができる。
【００４８】
また、本発明の清掃装置を空気調和機本体内に設けることにより、エアフィルター５の目詰まりが起こらず、常に安定した風量を確保でき、運転効率も良いので、性能も維持されて空気調和機本体の消費電力も節約できる。且つ、エアフィルター５を取り外して塵埃の清掃を行う必要もなくなり、メンテナンスの頻度が大幅に低減できる。
【産業上の利用可能性】
【００４９】
以上のように、本発明にかかる空気調和機の清掃装置、及び空気調和機は、エアフィルターの清掃装置として優れた性能を有し、エアコンディショナーや空気清浄機は勿論、エアフィルターを有する機器であれば、そのエアフィルターの清掃装置にも適用できるものである。
【図面の簡単な説明】
【００５０】
【図１】本発明の第１の実施例における空気調和機の清掃装置を搭載した空気調和機の縦断面図
【図２】同空気調和機の清掃装置に組み込まれる回転清掃体の横断面図
【図３】同空気調和機の清掃装置に組み込まれる回転清掃体を構成する芯棒の斜視図
【図４】（ａ）同空気調和機の清掃装置に組み込まれる回転清掃体を構成する芯棒の正面図  （ｂ）同空気調和機の清掃装置に組み込まれる回転清掃体を構成する清掃片を展開した正面図
【図５】同空気調和機の清掃装置に組み込まれる回転清掃体を組み立てる途中の状態を示す斜視図
【図６】本発明の第２の実施例における空気調和機の清掃装置本に組み込まれる回転清掃体の横断面図
【図７】同空気調和機の清掃装置に組み込まれる回転清掃体を組み立てる途中の状態を示す斜視図
【図８】本発明の第３の実施例における空気調和機の清掃装置に組み込まれる回転清掃体を組み立てる途中の状態を示す斜視図
【図９】本発明の第４の実施例における空気調和機の清掃装置に組み込まれる回転清掃体の部分横断面図
【図１０】従来の回転清掃体の一部を断面にした正面図
【符号の説明】
【００５１】
１    空気調和機本体
２    吸込口
３    吹き出し口
４    熱交換器
５    エアフィルター
６    送風ファン
７    回転清掃体
８    芯棒
９    基布
１０  ブラシ毛  
１１  清掃片
１１a、１１ｂ  折込み代
１２  キャップ
１３  軸
１４  ブラケット
１５  軸受け
１６  切り欠き溝
１７  中空部
１８  回転清掃体
１９  芯棒
２０  基布
２１  ブラシ毛
２２  清掃片
２３  キャップ
２４  ブラケット
２５  回転清掃体    
２６  被せ代
３３  回転清掃体
３４  芯棒
３５  基布
３６  ブラシ毛
３７  清掃片
３８  キャップ
３９  軸
４０  ブラケット
４１  嵌合部
４２  溝
４３  折込み代
４５  切り欠き溝
４６  回り止め部
４７  中空部
４９  回転清掃体    
５０  芯棒
５１  基布
５２  ブラシ毛
５３  清掃片
５４  キャップ
５４a  凹部
５５  ブラケット
５６  中空部
６０  回転清掃体
６１  芯棒
６２  基布
６３  ブラシ毛
６４  清掃片
６５  キャップ
【図１】
2007285551.tif 000003
【図２】
2007285551.tif 000004
【図３】
2007285551.tif 000005
【図４】
2007285551.tif 000006
【図５】
2007285551.tif 000007
【図６】
2007285551.tif 000008
【図７】
2007285551.tif 000009
【図８】
2007285551.tif 000010
【図９】
2007285551.tif 000011
【図１０】
2007285551.tif 000012